(57)【要約】【課題】数多くの情報を差し替え可能に添付することができ、しかも名刺の整理や管理に適している名刺を提供する。【解決手段】名刺部２に封筒部３が切り離し可能に連結されたことにより、封筒部３に所望の情報を掲載した情報カード７を収容した状態で名刺１を手渡すことができ、添付できる情報が飛躍的に増えるほか、その組み合わせや差し替えの自由度も大きくなる。そして、名刺部２が封筒部３から切り離し可能であるため、名刺１を受け取った側は、情報カード７が収容された封筒部３から名刺部２を切り離して、普通の名刺と同じように名刺ホルダ等に入れて整理したり、名刺スキャナで読み取って管理したりすることができる。【選択図】図１
0003142095.tif 000002
【実用新案登録請求の範囲】
【請求項１】
名刺部に封筒部が切り離し可能に連結されたことを特徴とする名刺。
【請求項２】
上記封筒部は、収容袋部に対して折りたたみ可能に連結された蓋片を備えて構成され、上記蓋片と名刺部が切り離し可能に連結された請求項１記載の名刺。
【請求項３】
上記名刺部が蓋片の内側に折り畳み可能となっており、名刺部が蓋片の内側に折りたたまれ、さらにその蓋片が収容袋部に対して折りたたまれて収容袋部を蓋した状態で、名刺部が蓋片によって隠れるように構成されている請求項２記載の名刺。
【請求項４】
上記収容袋部は、名刺大のカードが収容可能となるよう名刺部よりも大きく構成されている請求項１〜３のいずれか一項に記載の名刺。
【請求項５】
上記名刺部が封筒部から切り離される前は、上記名刺部が封筒部の開口を蓋する蓋片を兼ねている請求項１または４記載の名刺。
【請求項６】
名刺部に対し、折りたたみと接合により封筒部を形成する封筒形成シートが切り離し線を介して連結されたことを特徴とする名刺製造用シート。
【請求項７】
上記封筒部は、折りたたみと接合により収容袋部を形成する収容袋形成シート部と、上記収容袋形成シート部に対して折りたたみ可能に連結された蓋片とを備えて構成され、上記蓋片と名刺部が切り離し可能に連結された請求項６記載の名刺製造用シート。
【考案の詳細な説明】
【技術分野】
【０００１】
本考案は、数多くの情報を差し替え可能に添付することができる名刺および名刺製造用シートに関するものである。
【背景技術】
【０００２】
従来から、名刺に数多くの情報を掲載するため、あるいは二つ折りや三つ折の名刺が使用されたりしている。このような二つ折りや三つ折の名刺は、印刷面がそれだけ大きいことから、掲載できる情報も豊富となり、例えば営業マンや経営者のための営業ツールとして効果的である。
【０００３】
ところが、上記二つ折りや三つ折の名刺は、片面印刷というわけにはいかず、両面印刷がなされ、さらに折りたたみ加工が施されることから非常に高価なものになっている。しかも、一旦印刷すると、情報を差し替えるのには新たに版下をつくらなければならず、そのつどコストがかかる。また、担当者や部署ごとに異なる情報を掲載しようとすると、その数だけ版下をつくらなければならないため、これもコストがかかるという問題がある。
【０００４】
そこで、名刺自体を袋状に形成した名刺が考案されている（下記の特許文献１）。このような袋状名刺では、中に所望の情報を掲載したカードを収容した状態で手渡すことができ、添付できる情報が飛躍的に増えるほか、その組み合わせや差し替えの自由度も大きくなる。
【特許文献１】実用新案登録第３１３６５９０号公報
【考案の開示】
【考案が解決しようとする課題】
【０００５】
しかしながら、上記特許文献１の名刺は、名刺自体が袋状であることから、名刺を受け取った側が名刺ケースや名刺ホルダに入れて整理する際にかさばってしまい、ちゃんと整理してもらえない場合も生じる。また、スキャナで読み取る際に袋状では読み取れない場合もある。このように、袋状名刺では、名刺を渡した相手にきちんと整理・管理してもらうことができない場合があり、名刺の機能として多大な不都合がある。また、情報を掲載したカードが収容されたままで名刺ホルダ等に整理されてしまうため、結局、あとあとその情報を参照してもらう機会がほとんどなく、営業ツールとしての効果は普通の名刺とさほど変わらない。また、上記袋状名刺では、袋の口が開いたままであるため、場合によっては中の情報が見えてしまうことが問題となったり、情報カードが欠落しやすいことが問題となったりすることもある。
【０００６】
本考案は、上記のような事情に鑑みなされたもので、数多くの情報を差し替え可能に添付することができ、しかも名刺の整理や管理に適している名刺および名刺製造用シートの提供をその目的とする。
【課題を解決するための手段】
【０００７】
上記目的を達成するため、本考案の名刺は、名刺部に封筒部が切り離し可能に連結されたことを要旨とする。
【０００８】
また、上記目的を達成するため、本考案の名刺製造用シートは、名刺部に対し、折りたたみと接合により封筒部を形成する封筒形成シートが切り離し線を介して連結されたことを要旨とする。
【考案の効果】
【０００９】
すなわち、本考案の名刺は、名刺部に封筒部が連結されているため、封筒部に所望の情報を掲載した情報カードを収容した状態で名刺を手渡すことができ、添付できる情報が飛躍的に増えるほか、その組み合わせや差し替えの自由度も大きくなる。そして、名刺部が封筒部から切り離し可能であるため、名刺を受け取った側は、情報カードが収容された封筒部から名刺部を切り離して、普通の名刺と同じように名刺ホルダ等に入れて整理したり、名刺スキャナで読み取って管理したりすることができる。このように、多くの情報を差し替え可能に添付できるとともに、普通の名刺と同様の整理や管理が可能となる。しかも、情報カードが収容された封筒部は、名刺部とは別に保管することが可能で、あとあとその情報が参照されたり、さらにほかの人に渡されて拡散されたりする機会が増え、営業ツールとして絶大な威力を発揮する。
【００１０】
本考案の名刺において、上記封筒部は、収容袋部に対して折りたたみ可能に連結された蓋片を備えて構成され、上記蓋片と名刺部が切り離し可能に連結された場合には、名刺部を切り離した封筒部は、収容袋部に蓋片が連結されることから、中の情報が容易に見えてしまったり、情報カードが欠落したりといったことが問題になるおそれがなくなる。
【００１１】
本考案の名刺において、上記名刺部が蓋片の内側に折り畳み可能となっており、名刺部が蓋片の内側に折りたたまれ、さらにその蓋片が収容袋部に対して折りたたまれて収容袋部を蓋した状態で、名刺部が蓋片によって隠れるように構成されている場合には、折りたたんだ状態で名刺部が蓋片に隠れるため、名刺部が汚れにくく、誤って汚損された名刺部を渡してしまうような失礼が起きにくくなる。また、蓋片を開いた状態で名刺部と情報カードの両方を見せながら、名刺交換と情報カードの内容説明を行うことができ、営業ツールとして絶大な威力を発揮できる。
【００１２】
本考案の名刺において、上記収容袋部は、名刺大のカードが収容可能となるよう名刺部よりも大きく構成されている場合には、情報カードとして最も入手しやすい名刺大のカードを使用することができることから、情報カード作成のコストを抑え、多様な使い方に対応できる。
【００１３】
本考案の名刺において、上記名刺部が封筒部から切り離される前は、上記名刺部が封筒部の開口を蓋する蓋片を兼ねている場合には、展開したときの面積が小さくなってＡ４サイズ等の所定の用紙から名刺製造用シートを切り出す場合に、その切り出し数を多くとることができ、個人ユーザにとって使いやすいものになる。
【００１４】
本考案の名刺製造用シートは、名刺部に対し、折りたたみと接合により封筒部を形成する封筒形成シートが切り離し線を介して連結されているため、できた名刺は、名刺部に封筒部が連結されるため、封筒部に所望の情報を掲載したカードを収容した状態で名刺を手渡すことができ、添付できる情報が飛躍的に増えるほか、その組み合わせや差し替えの自由度も大きくなる。そして、名刺部が封筒部から切り離し可能であるため、名刺を受け取った側は、カードが収容された封筒部から名刺部を切り離して、普通の名刺と同じように名刺ホルダ等に入れて整理したり、名刺スキャナで読み取って管理したりすることができる。このように、多くの情報を差し替え可能に添付できるとともに、普通の名刺と同様の整理や管理が可能となり、営業ツールとして絶大な威力を発揮する。しかも、情報カードが収容された封筒部は、名刺部とは別に保管することが可能で、あとあとその情報が参照されたり、さらにほかの人に渡されて拡散されたりする機会が増え、営業ツールとして絶大な威力を発揮する。
【００１５】
本考案の名刺製造用シートにおいて、上記封筒部は、折りたたみと接合により収容袋部を形成する収容袋形成シート部と、上記収容袋形成シート部に対して折りたたみ可能に連結された蓋片とを備えて構成され、上記蓋片と名刺部が切り離し可能に連結された場合には、名刺部を切り離した封筒部は、収容袋部に蓋片が連結されることから、中の情報が容易に見えてしまったり、情報カードが欠落したりといったことが問題になるおそれがなくなる。
【考案を実施するための最良の形態】
【００１６】
つぎに、本考案を実施するための最良の形態を説明する。
【００１７】
図１および図２は、本考案が適用された名刺の一実施形態を示す図である。
【００１８】
この名刺は、名刺部２に封筒部３がミシン目等の切り離し線６を介して切り離し可能に連結されている。
【００１９】
より詳しく説明すると、上記封筒部３は、名刺大の長方形に形成された情報カード７を収容する収容袋部４と、上記収容袋部４の一長辺側に設けられた開口部を蓋する蓋片５とから構成されている。上記封筒部３は、収容袋部４に対して蓋片５が折り線８を介して折りたたみ可能に連結されて構成されている。そして、上記蓋片５の折り線８と反対側の長辺に、名刺部２が切り離し線６を介して切り離し可能に連結されている。
【００２０】
さらに、上記名刺部２は、蓋片５の内側に折り畳み可能となっている。そして、図２（Ａ）に示すように、上記名刺部２には、名刺部２を蓋片５の内側に折りたたんだ状態で、会社名や氏名が印刷された名刺の表面が見えるよう印刷が施されている。上記名刺部２が蓋片５の内側に折りたたまれ、さらにその蓋片５が収容袋部４に対して折り線８を境に折りたたまれて収容袋部４の開口部９を蓋した状態で、名刺部２が蓋片５によって隠れるように構成されている。すなわち、蓋片５の短辺長さよりも名刺部２の短辺長さが若干短くなるように設定されている。
【００２１】
上記収容袋部４は、名刺大の情報カード７が収容可能となるよう名刺部２よりも大きく構成されている。すなわち、収容袋部４と蓋片５の境界である折り線８の長さよりも、蓋片５と名刺部２との境界である切り離し線６の長さの方が若干短くなるよう、蓋片５の両短辺は傾斜状に形成されている。また、収容袋部４の短辺長さよりも名刺部２の短辺長さが若干短くなるように設定されている。
【００２２】
上記名刺１を使用する場合は、例えば、所望の情報カード７を収容袋部４に収容し、上記名刺部２を蓋片５の内側に折りたたんでさらに蓋片５を収容袋部４に対して折りたたんで開口部９を蓋した状態で携帯する。名刺１を差し出す際には、例えば、蓋片５を名刺部２とともに広げ（図２（Ａ）に示す状態）、名刺部２の表を露出させるとともに、情報カード７の存在が見えるようにする。必要に応じて情報カード７を収容袋部４から取り出して内容の説明を行う。
【００２３】
名刺１を受け取った人は、図２（Ｂ）に示すように、蓋片５から名刺部２を切り離し、名刺部２は普通の名刺と同様に整理や管理を行い、情報カード７が収容された封筒部３は必要な情報として収容することが行われる。もちろん、名刺を差し出す際に、あらかじめ名刺部２を蓋片５から切り離した状態で差し出してもよい。
【００２４】
この例では、名刺部２を蓋片５に対して折りたたんだ状態で蓋片５を封筒部３から開いたときに見える側に、名刺の表面を印刷するようにしたが、その逆に、名刺部２を蓋片５に対して折りたたんだ状態で隠れる側に、名刺の表面を印刷することもできる。
【００２５】
図３は、本発明の名刺製造用シート１０を示す展開図である。
【００２６】
この名刺製造用シート１０は、名刺部２に対し、折りたたみと接合により上記封筒部３を形成する封筒形成シート１１が切り離し線６を介して連結されている。上記封筒部３は、折りたたみと接合により収容袋部４を形成する収容袋形成シート部１２と、上記収容袋形成シート部１２に対して折り線８を介して折りたたみ可能に連結された蓋片５とを備えて構成されている。そして、上記蓋片５と名刺部２が切り離し可能に連結されている。
【００２７】
上記収容袋形成シート部１２は、情報カード７よりも少し大きめの長方形に形成された基材部１３と、上記基材部１３の両短辺にそって帯状に形成され、折り線１４を介して連結された折り返し片１５と、上記基材部１３の一長辺にそって形成され、折り線１６を介して連結されたカバー片１７とを備えて構成されている。
【００２８】
上記折り返し片１５を折り線１４に沿って折り返すとともに、カバー片１７を折り線１６に沿って折り返し、重なった部分を接着剤等で接合することにより、収容袋部４が形成される。
【００２９】
なお、この例では、本発明の名刺製造用シート１０の一例として、上述した形状に切り抜いた展開図状のシートを例示したが、これに限定するものではなく、図４に示すように、Ａ４サイズ等の所定サイズの用紙１８に、上述した形状の切り抜き線１９を設けた名刺製造用シート１０とすることもできる。この例では、切り抜く前にプリンタで印刷したのち、上記切り抜き線１９から切り抜いて、折りたたみと接合で収容袋部４等を形成することが行われる。
【００３０】
以上のように、上記名刺１によれば、名刺部２に封筒部３が連結されているため、封筒部３に所望の情報を掲載した情報カード７を収容した状態で名刺１を手渡すことができ、添付できる情報が飛躍的に増えるほか、その組み合わせや差し替えの自由度も大きくなる。そして、名刺部２が封筒部３から切り離し可能であるため、名刺１を受け取った側は、情報カード７が収容された封筒部３から名刺部２を切り離して、普通の名刺と同じように名刺ホルダ等に入れて整理したり、名刺スキャナで読み取って管理したりすることができる。このように、多くの情報を差し替え可能に添付できるとともに、普通の名刺と同様の整理や管理が可能となる。しかも、情報カード７が収容された封筒部３は、名刺部２とは別に保管することが可能で、あとあとその情報が参照されたり、さらにほかの人に渡されて拡散されたりする機会が増え、営業ツールとして絶大な威力を発揮する。
【００３１】
上記名刺１は、上記封筒部３は、収容袋部４に対して折りたたみ可能に連結された蓋片５とを備えて構成され、上記蓋片５と名刺部２が切り離し可能に連結されているため、名刺部２を切り離した封筒部３は、収容袋部４に蓋片５が連結されることから、中の情報が容易に見えてしまったり、情報カード７が欠落したりといったことが問題になるおそれがなくなる。
【００３２】
上記名刺１は、上記名刺部２が蓋片５の内側に折り畳み可能となっており、名刺部２が蓋片５の内側に折りたたまれ、さらにその蓋片５が収容袋部４に対して折りたたまれて収容袋部４を蓋した状態で、名刺部２が蓋片５によって隠れるように構成されているため、折りたたんだ状態で名刺部２が蓋片５に隠れるため、名刺部２が汚れにくく、誤って汚損された名刺部２を渡してしまうような失礼が起きにくくなる。また、蓋片５を開いた状態で名刺部２と情報カード７の両方を見せながら、名刺交換と情報カード７の内容説明を行うことができ、営業ツールとして絶大な威力を発揮できる。
【００３３】
上記名刺１は、上記収容袋部４は、名刺大の情報カード７が収容可能となるよう名刺部２よりも大きく構成されているため、情報カード７として最も入手しやすい名刺大のカードを使用することができることから、情報カード７作成のコストを抑え、多様な使い方に対応できる。
【００３４】
また、上記名刺製造用シート１０は、名刺部２に対し、折りたたみと接合により封筒部３を形成する封筒形成シート１１が切り離し線６を介して連結されているため、できた名刺１は、名刺部２に封筒部３が連結されるため、封筒部３に所望の情報を掲載した情報カード７を収容した状態で名刺１を手渡すことができ、添付できる情報が飛躍的に増えるほか、その組み合わせや差し替えの自由度も大きくなる。そして、名刺部２が封筒部３から切り離し可能であるため、名刺１を受け取った側は、情報カード７が収容された封筒部３から名刺部２を切り離して、普通の名刺と同じように名刺ホルダ等に入れて整理したり、名刺スキャナで読み取って管理したりすることができる。このように、多くの情報を差し替え可能に添付できるとともに、普通の名刺と同様の整理や管理が可能となる。しかも、情報カード７が収容された封筒部３は、名刺部２とは別に保管することが可能で、あとあとその情報が参照されたり、さらにほかの人に渡されて拡散されたりする機会が増え、営業ツールとして絶大な威力を発揮する。
【００３５】
上記名刺製造用シート１０は、上記封筒部３は、折りたたみと接合により収容袋部４を形成する収容袋形成シート部１２と、上記収容袋形成シート部１２に対して折りたたみ可能に連結された蓋片５とを備えて構成され、上記蓋片５と名刺部２が切り離し可能に連結されているため、名刺部２を切り離した封筒部３は、収容袋部４に蓋片５が連結されることから、中の情報が容易に見えてしまったり、情報カード７が欠落したりといったことが問題になるおそれがなくなる。
【００３６】
図５は、本発明の第２実施形態を示す。
【００３７】
この例では、封筒部３には蓋片５が設けられておらず、収容袋部４だけで封筒部３が形成されている。そして、上記封筒部３の開口部９側の辺（この例では長辺）に沿って切り離し線６を介して名刺部２が切り離し可能に連結されている。この例では、封筒部３が名刺部２よりも若干大きくなるように、封筒部３と名刺部２の連結部の両端に段部が形成されている。それ以外は、上記実施形態と同様であり、同様の部分には同じ符号を付している。
【００３８】
この例では、切り離し線６が折り線を兼ね、名刺部２が封筒部３から切り離される前は、名刺部２が封筒部２の蓋片を兼ねるように機能する。このようにすることにより、展開したときの面積が小さくなって、図４のように、Ａ４サイズ等の所定の用紙１４から名刺製造用シートを切り出す場合に、その切り出し数を多くとることができ、個人ユーザにとって使いやすいものになる。それ以外は、上記実施形態と同様の作用効果を奏する。
【００３９】
この例では、名刺部２を封筒部３に対して折りたたんだときに隠れる側、すなわち封筒部３から名刺部２を開いたときに見える側に、名刺の表面を印刷するようにしたが、その逆に、名刺部２を封筒部３に対して折りたたんだとき見える側に、名刺の表面を印刷することもできる。
【図面の簡単な説明】
【００４０】
【図１】本考案の名刺の第１実施形態を示す図である。
【図２】上記名刺の使用状態を示す図である。
【図３】本考案の名刺製造用シートの第１実施形態を示す図である。
【図４】本考案の名刺製造用シートの第２実施形態を示す図である。
【図５】本考案の名刺の第２実施形態を示す図である。
【符号の説明】
【００４１】
１：名刺
２：名刺部
３：封筒部
４：収容袋部
５：蓋片
６：切り離し線
７：情報カード
８：折り線
９：開口部
１０：名刺製造用シート
１１：封筒形成シート
１２：収容袋形成シート部
１３：基材部
１４：折り線
１５：折り返し片
１６：折り線
１７：カバー片
１８：用紙
１９：切り抜き線
【図１】
0003142095.tif 000003
【図２】
0003142095.tif 000004
【図３】
0003142095.tif 000005
【図４】
0003142095.tif 000006
【図５】
0003142095.tif 000007